(57)【要約】      （修正有）【課題】鉄イオンの溶出を移動可能な浮台を介して拡散的に行うことで広範囲に鉄イオンによる環境改善効果を拡大させることができる鉄イオン溶出装置を提供する。【解決手段】鉄を含む複数の物質を水中に没した状態下で鉄イオンを溶出させるようにした鉄イオン溶出装置であって、池・堀・湖沼・河川・海などの水域１の上に浮き移動可能な浮台５と、この浮台に設けられた密閉式の外容器１３と、前記水域の水を外容器内に供給する給水手段と、前記外容器内へ供給された水を前記水域内に導出して浮台の移動力を発生可能とする排水手段と、内容物を複数個備えて前記外容器内に設けられるとともに前記給水手段による供給水を湧水式に取り込んだあと排水手段へと排出する通水式内容器１８と、前記内容器内の内容物を鉄イオンが溶出可能に攪拌運動させる攪拌手段２２とを備え、前記通水式内容器１８および攪拌手段２２のうち少なくともいずれか一方が回転駆動される。【選択図】図２
2015093271.tif 000002
【特許請求の範囲】
【請求項１】
少なくとも鉄を含む複数の物質を水中に没した状態下にして鉄イオンを溶出させるようにした鉄イオン溶出装置であって、池・堀・湖沼・河川・海などの水域の上に浮き移動も可能な浮台と、この浮台に設けられた密閉式の外容器と、前記水域の水を外容器内に供給する給水手段と、前記外容器内へ供給された水を外部である前記水域内に導出して浮台の移動力を発生可能とする排水手段と、内容物を複数個備えたものとして前記外容器内に設けられるとともに前記給水手段による供給水を湧水式に取り込んだあと排水手段へと排出する通水式内容器と、前記内容器内の内容物を取り込まれる水中において鉄イオンが溶出可能に攪拌運動させる攪拌手段とを備え、前記通水式内容器および攪拌手段のうち少なくともいずれか一方が回転駆動されるようになっていることを特徴とする鉄イオン溶出装置。
【発明の詳細な説明】
【技術分野】
【０００１】  本発明は、水中に鉄イオンを溶出させるようにした鉄イオン溶出装置に関する。
【背景技術】
【０００２】  金属イオン水の製造装置の一つとして、セメントに酸化鉄と発泡基材とが混入されて連続した空隙を有するように形成された気泡コンクリート製ブロックをそなえ、同ブロックに中空部が形成されるとともに、同中空部が上記ブロックの表面に開口する開口部をそなえていることを特徴とする、海域浄化式漁礁構造物が下記の特許公開公報において提案されている。また、該公報には、中空部に鉄と鉄に比べ電位の高い金属、例えば、グラファイト、活性炭等との混合物を充填し溶出する鉄イオン量を加速的に増加させ得るようにした混合金属充填型漁礁構造物も提案されている。
【先行技術文献】
【特許文献】
【０００３】
【特許文献１】特開平６−２０６８０４
【発明の概要】
【発明が解決しようとする課題】
【０００４】  上記特許文献１による海域浄化式漁礁構造物は、それを海水に浸漬すると、構造物内を海水が自由に出入りし、流入する海水とともに多くの酸素が供給されて空隙内を好気性雰囲気に維持することができ、したがって、海水中に生息する微生物が中空部、空隙の内部および気泡コンクリートの表面に大量に付着繁殖して、生物皮膜層が形成され、そしてこの生物皮膜層が海水中の有機物を分解し、無機化を進行させると同時に、海藻類および微生物の増殖を促進し、その結果生物環境が改善されるという効果がある。また、中空部に鉄を充填して海水に浸漬すると、鉄表面には電位を異にする部分が混存して局部電池を形成し局部電池の陽極部からは腐食電流が流出し、鉄は鉄イオンとなって溶出する海藻類に吸収され海藻の繁殖を促すという効果が発生する。中空部に鉄と鉄に比べて電位の高い金属、例えば、グラファイト、活性炭等との混合物を充填して海水中に浸漬すれば、溶出する鉄イオン量が加速的に増加するため、珪藻、プランクトンの繁殖、海藻類の増殖はさらに向上するという効果が発生する。
このように鉄イオンの溶出により海水等の水域での生物環境ならびに水質が改善されるのであるが、前記特許公報１の漁礁構造物によれば、海域などのごく限定された個所に固定設置される方式であるため、生物環境や水質改善がごく限られた範囲内のものとなり、今一つ広範囲な水質等改善につながらないものであった。【０００５】  本発明は、上記問題を解決しようとするものであり、鉄イオンの溶出が浮いて移動可能な浮台を介して拡散的に行われることで広範囲に鉄イオンの溶出による環境改善効果を拡大させることができるようにした鉄イオン溶出装置を提供することを目的とする。
【課題を解決するための手段】
【０００６】  上記目的達成のため、請求項１に記載の発明は、少なくとも鉄を含む複数の物質を水中に没した状態下にして鉄イオンを溶出させるようにした鉄イオン溶出装置であって、池・堀・湖沼・河川・海などの水域の上に浮き移動も可能な浮台と、この浮台に設けられた密閉式の外容器と、前記水域の水を外容器内に供給する給水手段と、前記外容器内へ供給された水を外部である前記水域内に導出して浮台の移動力を発生可能とする排水手段と、内容物を複数個備えたものとして前記外容器内に設けられるとともに前記給水手段による供給水を湧水式に取り込んだあと排水手段へと排出する通水式内容器と、前記内容器内の内容物を取り込まれる水中において鉄イオンが溶出可能に攪拌運動させる攪拌手段とを備え、前記通水式内容器および攪拌手段のうち少なくともいずれか一方が回転駆動されるようになっていることを特徴とする。
【発明の効果】
【０００７】  上述したように請求項１に記載の発明は、少なくとも鉄を含む複数の物質を水中に没した状態下にして鉄イオンを溶出させるようにした鉄イオン溶出装置であって、池・堀・湖沼・河川・海などの水域の上に浮き移動も可能な浮台と、この浮台に設けられた密閉式の外容器と、前記水域の水を外容器内に供給する給水手段と、前記外容器内へ供給された水を外部である前記水域内に導出して浮台の移動力を発生可能とする排水手段と、内容物を複数個備えたものとして前記外容器内に設けられるとともに前記給水手段による供給水を湧水式に取り込んだあと排水手段へと排出する通水式内容器と、前記内容器内の内容物を取り込まれる水中において鉄イオンが溶出可能に攪拌運動させる攪拌手段とを備え、前記通水式内容器および攪拌手段のうち少なくともいずれか一方が回転駆動されるようになっていることを特徴とするので、鉄イオンの溶出が浮いて移動可能な浮台を介して拡散的に行われることで広範囲に鉄イオンの溶出による環境改善効果を拡大させることができるようにした鉄イオン溶出装置を提供することができる。
【図面の簡単な説明】
【０００８】
【図１】  鉄イオン溶出装置の一例を示す平面図。
【図２】  図１の鉄イオン溶出装置の正面図。
【図３】  図２のＩＩＩ−ＩＩＩ線断面図。
【図４】  鉄イオン溶出装置の要部を示す図５のＩＶ−ＩＶ線断面図。
【図５】  図４のＶ−Ｖ線断面図。
【図６】  図５のＶＩ−ＶＩ線断面図。
【図７】  他の実施形態を示す装置縦断面図。
【図８】  他の実施形態を示す装置縦断面図。
【図９】  他の実施形態を示す縦断面図。
【図１０】  他の実施形態を示す縦断面図。
【図１１】  他の実施形態を示す縦断面図。
【発明を実施するための形態】
【０００９】  図１ないし図６は本発明の一実施形態を示している。この実施形態において１は池や堀（濠）あるいは湖沼や河川、海などの水域で一般的には汚水であり、この水域１上には、少なくとも鉄を含む複数の物質を水中に没した状態下にして鉄イオンを溶出させるようにした鉄イオン溶出装置が水域１上に浮きながら自力で低速移動も可能な状態にして設けられている。２は水面である。
【００１０】  この鉄イオン溶出装置は、前記水域１の上に左右一対のフロート４を介して浮上する浮台５を木質製、金属製あるいは樹脂製などとして備える。浮台５の上面である水平な設置板６は、幅が６０ｃｍで長さが１２０ｃｍ程度で図１のように前後に長い矩形をしており、その上面の前後にはソーラーパネル７，７がまた前部パネルの後側には蓄電機能もあるバッテリ８が水封埋込式で交換も可能なように内装されている。９は自動制御盤で、バッテリ８からの電源を得て遠隔操作により後述する駆動源（揚水ポンプや攪拌駆動源など）の電気制御（ＯＮ／ＯＦＦや回転数制御等）を行うものである。
【００１１】  １１は揚水ポンプで、ポンプモーターを前記駆動源の１つとして備え、浮台５の後寄りの底部に搭載されることで遠隔操作による自動制御盤９によりＯＮ／ＯＦＦや回転数制御などがなされるようになっている。
１３は外容器で、一辺が３０ｃｍ前後で全体が立体六角形をした鉄製の密閉ボックスであって設置板６の中央位置に搭載されるとともに取付具１４を介して脱着可能に固定されている。この外容器１３内の下部中央位置には、ドーナツ型で底面から水を噴射可能な水噴射パイプ１５が固定設置され、このパイプ１５には、揚水ポンプ１１からの給水パイプ１６あるいは連通ホースが脱着可能な状態で接続されている。揚水ポンプ１１・給水パイプ１６・水噴射パイプ１５などは前記水域１の水を外容器１３内に供給する給水手段を構成している。
【００１２】  １８は通水式内容器で、直径が２０ｃｍ程度で長さ３０ｃｍ弱の円筒ドラム型をした鉄製の容器であって、外容器１３の高さ方向中間位置にそのドラム中心を水平に向けるようにして設けられている。この内容器１８は、前後の密閉型端板１８ａと周穴１８ｂの複数を有するドラム本体１８ｃとを備えたものであるとともに周穴１８ｂに対応する個所には湾曲状した鉄製の多孔板１９が脱着可能な状態で張設されている。こうして多孔を有するドラム型の内容器１８が形成されている。この内容器１８の中心軸上には、中実あるいはパイプ式の鉄製攪拌芯軸２０が溶接一体化されるとともに、その芯軸２０は端部を外容器１３の対向壁に回転自在に支持し、しかも、その芯軸２０の一端は減速機付きモーターである攪拌駆動源２１が攪拌芯軸２０と内容器１８とを同じＡ方向に同時回転するように連結されている。攪拌芯軸２０の周りには、軸方向に沿って位相をずらせた形の鉄製バーである攪拌部材２２は複数本配備されている。この攪拌部材２２は、フラットバーや丸（あるいは角）パイプなどでもよい。
【００１３】  ２４は排水パイプで、その一端が外容器１３の上面板に連通状とされ途中は左右に分かれてその左右各端は浮台５の左右に設置した水吹き出し部２５，２５に接続されている。排水パイプ２４・水吹き出し部２５，２５は排水手段を構成する。水吹き出し部２５は、その胴芯を後方に向けてあるが前記自動制御盤９により駆動される角度変更装置２６を介して図１の矢印のように左右に操向制御可能にすれば装置をＦ方向に真直ぐに前進させるように微調整制御したり前進後に旋回Ｕターン操向に制御したりするなど装置を種々のパターンに則した運転制御ができるようになる。尚、この水吹き出し部２５は、図１の右部に仮想線で示すように浮台５の後部中央に設けて角度変更装置２６で操向自在にしてもよい。
【００１４】  浮台５はフロート４による浮力を得て水域１上に水平に浮いた状態で設置され、バッテリ８にはソーラーパネル７から制御盤を通じて常時蓄電の追加がなされながら蓄電分の利用も可能になっている。前記内容器１８内には、図４ないし図６に示すように鉄片である内容物２９とコークスである内容物３０が多数入れられる。その出し入れの具体的な方法については後述する。バッテリ８からは、揚水ポンプ１１と攪拌駆動源２１に配電される。揚水ポンプ１１からの揚水（汚水）は水噴射パイプ１５を通じて噴射され、それら揚水は多孔板１９の孔を通じて内容器１８内に湧水として流入することで内容物２９，３０は乱舞するようになり、その状態でさらに攪拌部材２２による攪拌作用を受けるため、内容物２９，３０は互いに衝突したり接触したりを繰返しまた外周である鉄製内容器１８とも接触を繰り返すことによりナノ鉄粒子を造りイオン化した鉄イオン（Ｆｅ２＋）を効果的に溶出するようになる。この溶出作用は内容物２９，３０の一方が鉄で他方が鉄に比べて電位の高い例えば、コークス、グラファイトあるいは活性炭などの炭であるような相対電位差を有することに基づき効果的に発生する。これら電位差のある異種の内容物２９，３０は圧着一体式にしてもよい。こうして溶出した鉄イオンは、排水パイプ２４を通じて水吹き出し部２５から水域１内へと矢印Ｘのように排出されしかもその排出が浮台５の移動とともに拡散的になされるようになっているので水域１の水質浄化が広い範囲に亘るものとなる。
【００１５】  尚、攪拌部材２２は、内容物２９，３０の咬み込みを防止するように内容器１８の内周面に対し５ｃｍないし８ｃｍ前後の周間隔をおいて回転する関係にしてある。
また、内容物２９，３０を入れるには、例えば、図７に示すように、外容器１３の側板部３２を開閉可能にするとともに内容器１８の一部の多孔板１９を開閉可能にしておくことで可能であり、使用済の内容物２９，３０を交換するのにも側板部３２と多孔板１９とを共に開いた状態にして内容器１８を回転させれば内容物２９，３０を落下させることができ、それら落下物を取り出せば廃棄できまた多孔板１９で空いた穴を回転により上回りにもってくることで新規な内容物２９，３０を投入することができる。あとは多孔板１９と側板部３２を密閉しておけば交換は完了する。３３は把手である。外容器１３は下部のヒンジ３４と止着具３５とによって開閉するようにしてあるが、上下共に止着具３５により開閉するようにしてもよい。また、多孔板１９は、図８に示すように、フランジ３６と止着具３７による接合方式で開閉自在にしてもよく、この場合、同図右に示すように一方をヒンジ３８で支持させる方式にしてもよい。
【００１６】  前記浮台５は、広い水域１を操向制御しながら運転するのでなく、図１および図２に示すように、直線往復動式軌道あるいは湾曲往復動式軌道、または長円など周回式軌道のように一定の定置式軌道（ワイヤやレールなど）４０に浮台５側のローラー式ガイド４１を添わせて運転するようにすれば制御方式を含めた装置全体がシステム的に簡素化する。浮台５は、巻取りと繰出しの可能なワイヤなどの進退駆動式作動部材に連結することで往復運動可能にしてもよい。
【００１７】  図６に示すように、エアー供給パイプ４３を通じてエアーを吹き込んで内容物２９，３０の攪拌・接触がより効果的に行われ鉄イオンの溶出がより効率的になされるようにしてもよい。
また、図９に示すように、内容器１８を固定式にし攪拌部材２２のみを攪拌手段として回転させるようにしてもよい。
図１０に示すように、攪拌部材２２を、回転する内容器１８の内周に突設した掻き揚げ突片としてもよい。この突片に代えて同図左側に示すように内容器１８自体を凹凸状にしてその凸部を攪拌部材２２とすることもできる。
さらには、図１１に示すように、攪拌部材２２をバネ鋼製としそれに係合する固定突片４４を固定式の内容器１８側に設けて内容物２９，３０を攪拌部材２２によってはじき揚げるようにして鉄イオンの溶出をより効果的なものにするようにしてもよい。
【符号の説明】
【００１８】  １…水域  ２…水面  ４…フロート  ５…浮台  １１…揚水ポンプ  １３…外容器  １８…内容器  １９…多孔板  ２１…攪拌駆動源  ２２…攪拌部材  ２４…排水パイプ  ２５…水吹き出し部  ２９，３０…内容物。
【図１】
2015093271.tif 000003
【図２】
2015093271.tif 000004
【図３】
2015093271.tif 000005
【図４】
2015093271.tif 000006
【図５】
2015093271.tif 000007
【図６】
2015093271.tif 000008
【図７】
2015093271.tif 000009
【図８】
2015093271.tif 000010
【図９】
2015093271.tif 000011
【図１０】
2015093271.tif 000012
【図１１】
2015093271.tif 000013
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
フロートの上に設置板を備え池・堀・湖沼・河川・海などの水域の上に設置板上面が水面上に位置するようにして浮くとともに移動も可能とされた浮台と、全体が立体六角形をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とする鉄イオン溶出装置。
【手続補正２】
【補正対象書類名】明細書
【補正対象項目名】０００６
【補正方法】変更
【補正の内容】
【０００６】上記目的達成のため、請求項１に記載の発明は、フロートの上に設置板を備え池・堀・湖沼・河川・海などの水域の上に設置板上面が水面上に位置するようにして浮くとともに移動も可能とされた浮台と、全体が立体六角形をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とする。
【手続補正３】
【補正対象書類名】明細書
【補正対象項目名】０００７
【補正方法】変更
【補正の内容】
【０００７】上述したように請求項１に記載の発明は、フロートの上に設置板を備え池・堀・湖沼・河川・海などの水域の上に設置板上面が水面上に位置するようにして浮くとともに移動も可能とされた浮台と、全体が立体六角形をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とするので、鉄イオンの溶出が浮いて移動可能な浮台を介して拡散的に行われることで広範囲に鉄イオンの溶出による環境改善効果を拡大させることができるようにした鉄イオン溶出装置を提供することができる。
【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
フロートの上に設置板を備え池・堀・湖沼・河川・海などの水域の上に設置板上面が水面上に位置するようにして浮くとともに移動も可能とされた浮台と、全体が直方体型をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により撹拌芯軸が水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とする鉄イオン溶出装置。
【手続補正２】
【補正対象書類名】明細書
【補正対象項目名】０００６
【補正方法】変更
【補正の内容】
【０００６】  上記目的達成のため、請求項１に記載の発明は、フロートの上に設置板を備え池・堀・湖沼・河川・海などの水域の上に設置板上面が水面上に位置するようにして浮くとともに移動も可能とされた浮台と、全体が直方体型をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により撹拌芯軸が水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とする。
【手続補正３】
【補正対象書類名】明細書
【補正対象項目名】０００７
【補正方法】変更
【補正の内容】
【０００７】  上述したように請求項１に記載の発明は、フロートの上に設置板を備え池・堀・湖沼・河川・海などの水域の上に設置板上面が水面上に位置するようにして浮くとともに移動も可能とされた浮台と、全体が直方体型をした密閉ボックスであって浮台上に固定された外容器と、浮台に備えた揚水ポンプからの揚水を給水パイプを通じて外容器内の下部中央位置の水噴射パイプから噴射可能とされた給水手段と、軸方向前後に端板を備えて全体が円筒ドラム型をしているとともにドラム周部に多孔板が装着されかつドラム中心軸上には撹拌芯軸と撹拌部材とが設けられて撹拌駆動源により撹拌芯軸が水平軸回りに回転駆動されるようになっていて鉄と該鉄に比べて電位の高い異種のものとがそれぞれ個別的に複数個あるいは圧着一体式に結合されたものとして複数個備えたものとして構成された内容物が内部に入れられて回転駆動されることで内容物の相互衝突や接触を前記給水手段による供給水を取り込みながら繰り返して鉄イオンを溶出可能とする通水式内容器と、前記内容器で溶出した鉄イオンを含む水を外容器を通じて外部である前記水域内に導出して浮台の移動力を発生可能とする排水手段とを備え、前記外容器は、その側板部が開閉可能とされるとともに浮台に対する脱着も可能とされ、前記内容器の多孔板は、開閉可能とされていることを特徴とするので、鉄イオンの溶出が浮いて移動可能な浮台を介して拡散的に行われることで広範囲に鉄イオンの溶出による環境改善効果を拡大させることができるようにした鉄イオン溶出装置を提供することができる。
【手続補正４】
【補正対象書類名】明細書
【補正対象項目名】００１１
【補正方法】変更
【補正の内容】
【００１１】  １１は揚水ポンプで、ポンプモーターを前記駆動源の１つとして備え、浮台５の後寄りの底部に搭載されることで遠隔操作による自動制御盤９によりＯＮ／ＯＦＦや回転数制御などがなされるようになっている。
１３は外容器で、一辺が３０ｃｍ前後で全体が直方体型をした鉄製の密閉ボックスであって設置板６の中央位置に搭載されるとともに取付具１４を介して脱着可能に固定されている。この外容器１３内の下部中央位置には、ドーナツ型で底面から水を噴射可能な水噴射パイプ１５が固定設置され、このパイプ１５には、揚水ポンプ１１からの給水パイプ１６あるいは連通ホースが脱着可能な状態で接続されている。揚水ポンプ１１・給水パイプ１６・水噴射パイプ１５などは前記水域１の水を外容器１３内に供給する給水手段を構成している。